(57)【要約】【課題】様々な形状に変化するとともに、多くの用途に用いることができる装飾具を提供する。【解決手段】装飾具１０は、第１の面状部１１及び第２の面状部１２を備える。第１の面状部１１及び第２の面状部１２は、可撓性を有し、互いに対向するように設けられている。第１の面状部１１には、第２の面状部１２の少なくとも一部を引き抜き可能な１つ以上の引き抜き孔１１ａが設けられている。【選択図】図１
0003221582.tif 000002
【実用新案登録請求の範囲】
【請求項１】
可撓性を有し、互いに対向するように設けられた第１の面状部及び第２の面状部を備え、
前記第１の面状部には、前記第２の面状部の少なくとも一部を引き抜き可能な１つ以上の引き抜き孔が設けられている
ことを特徴とする装飾具。
【請求項２】
前記第１の面状部と前記第２の面状部との間に収容可能な長尺部材を更に備え、
前記第１の面状部の前記引き抜き孔は、前記長尺部材の少なくとも一部を引き抜き可能に設けられている
ことを特徴とする請求項１記載の装飾具。
【請求項３】
前記第１の面状部及び前記第２の面状部のそれぞれは、内部空間を有する単一の袋状部材の一部である
ことを特徴とする請求項１又は２記載の装飾具。
【請求項４】
前記第２の面状部には、前記第１の面状部の少なくとも一部を引き抜き可能な１つ以上の引き抜き孔が設けられている
ことを特徴とする請求項１から３のいずれか１項記載の装飾具。
【考案の詳細な説明】
【技術分野】
【０００１】
本考案は、装飾具に関する。
【背景技術】
【０００２】
従来、髪飾りなどに用いられる装飾具として、リング状の装飾具本体と、この装飾具本体に挿入されたループ状弾性部材とを備える装飾具が提案されている。
【先行技術文献】
【特許文献】
【０００３】
【特許文献１】特開２０１３−１７７１９号公報
【考案の概要】
【考案が解決しようとする課題】
【０００４】
しかしながら、リング状の装飾具本体を備える上記の装飾具は、ループ状弾性部材を引っ張ることによって、装飾具本体の直径を短くするように変形させることができるが、直径の変化による装飾具の形状の変化は多様性があるとは言い難い。また、上記の装飾具は、リング状の装飾具本体を備えるため、髪を束ねたり或いは腕に通されたりといった使用方法に限定される。
【０００５】
本考案の目的は、様々な形状に変化するとともに、多くの用途に用いることができる装飾具を提案することである。
【課題を解決するための手段】
【０００６】
１つの態様では、装飾具は、可撓性を有し、互いに対向するように設けられた第１の面状部及び第２の面状部を備え、前記第１の面状部には、前記第２の面状部の少なくとも一部を引き抜き可能な１つ以上の引き抜き孔が設けられている。
【考案の効果】
【０００７】
本考案によれば、様々な形状に変化するとともに、多くの用途に用いることができる装飾具を提供することができる。
【図面の簡単な説明】
【０００８】
【図１】第１実施形態に係る装飾具を示す図である。
【図２】第２実施形態に係る装飾具を示す図である。
【図３】第３実施形態に係る装飾具を示す図である。
【図４】第４実施形態に係る装飾具を示す図である。
【図５】第５実施形態に係る装飾具を示す図である。
【図６】第６実施形態に係る装飾具を示す図である。
【図７】第７実施形態に係る装飾具を示す図である。
【図８】第８実施形態に係る装飾具を示す図である。
【考案を実施するための形態】
【０００９】
以下、本考案の第１〜第８実施形態に係る装飾具について、図面を参照しながら説明する。
【００１０】
＜第１実施形態＞
図１は、第１実施形態に係る装飾具１０を示す図であり、（ａ）底面図、（ｂ）平面図、（ｃ）引き抜き状態図その１、（ｄ）使用状態図、（ｅ）引き抜き状態図その２、及び（ｆ）引き抜き状態図その３を含む。
【００１１】
図１（ａ）及び（ｂ）に示すように、装飾具１０は、第１の面状部１１と第２の面状部１２とを備える。
第１の面状部１１及び第２の面状部１２の形状は、例えば、円形状である。第１の面状部１１及び第２の面状部１２の形状は、例えば、多角形状や楕円形状などであってもよく、特に制限されない。また、第１の面状部１１及び第２の面状部１２の大きさは、用途に応じて適宜決定されればよい。
【００１２】
第１の面状部１１と第２の面状部１２とは、互いに対向するように、例えば、周縁において縫い合わせ部１３によって縫い合わされている。これにより、第１の面状部１１及び第２の面状部１２は、内部空間を有する単一の袋状部材を構成する。換言すると、第１の面状部１１及び第２の面状部１２のそれぞれは、内部空間を有する単一の袋状部材の一部である。なお、第１の面状部１１と第２の面状部１２とは、縫い合わせ部１３によって縫い合わされた別体ではなく、例えば一体の袋状に設けられていてもよい。
【００１３】
第１の面状部１１及び第２の面状部１２は、例えば布であり、可撓性を有する。なお、第１の面状部１１及び第２の面状部１２が可撓性を有するためには、非金属材料、例えば、布、毛皮などであることが望ましい。
【００１４】
第１の面状部１１には、第２の面状部１２の少なくとも一部を引き抜き可能な引き抜き孔１１ａが設けられている。この引き抜き孔１１ａは、第１の面状部１１の一部が切り取られることで形成されるものであってもよいし、或いは、第１の面状部１１が線状に切られることで形成されるものであってもよい。引き抜き孔１１ａは、第１の面状部１１の中心に設けられていることが望ましいが、後述するように第２の面状部１２を引き抜く際に、非対称性によるデザインの崩しなどを得る観点では、第１の面状部１１の中心からシフトした位置に設けられていてもよい。また、引き抜き孔１１ａは、複数設けられていてもよい。なお、第２の面状部１２の少なくとも一部を素手で引き抜き可能とするためには、引き抜き孔１１ａは、例えば、長手方向の長さ又は直径が数ｍｍ以上或いは１０ｍｍ以上であるとよい。
【００１５】
図１（ｃ）に示すように、ユーザが、例えば素手で或いは器具を用いて、第２の面状部１２の少なくとも一部を第１の面状部１１の引き抜き孔１１ａから引き抜くと、装飾具１０が立体的に変化する。図１（ｄ）に示す使用状態の例では、装飾具１０は、花のような形状をなし、例えば、コサージュ、ブローチ、ポケットチーフなどに用いることができる。なお、図１（ｄ）に示すように装飾具１０をユーザの洋服に装着するには、例えば、ブローチ留めなどの留め具を用いるとよい。この留め具は、装飾具１０に一体に設けられていてもよい。
【００１６】
図１（ｅ）及び（ｆ）に示す例では、第１の面状部１１と第２の面状部１２とは、互いに異なる色の布からなる。なお、図１（ｅ）及び（ｆ）では、第１の面状部１１は、外側の面（すなわち第２の面状部１２に対向しない面）と内側の面（すなわち第２の面状部１２に対向する面）とが同一色であるものとする。同様に、図１（ｅ）及び（ｆ）では、第２の面状部１２は、外側の面（すなわち第１の面状部１１に対向しない面）と内側の面（すなわち第１の面状部１１に対向する面）とが同一色であるものとする。
【００１７】
図１（ｅ）に示すように、ユーザが、例えば素手で或いは器具を用いて、第２の面状部１２の少なくとも一部を第１の面状部１１の引き抜き孔１１ａから引き抜くと、図１（ｃ）に示す例と同様に、装飾具１０が立体的に変化する。更に、図１（ｆ）に示すように、第２の面状部１２の全体を第１の面状部１１の引き抜き孔１１ａから引き抜くと、図１（ｅ）に示す状態とは第１の面状部１１と第２の面状部１２とが反転するように形状変化し、リバーシブルとなる。このように、第２の面状部１２の引き抜き度合いによって、装飾具１０は、様々な形状に変化する。
【００１８】
以上説明した第１実施形態では、装飾具１０は、第１の面状部１１及び第２の面状部１２を備える。第１の面状部１１及び第２の面状部１２は、可撓性を有し、互いに対向するように設けられている。第１の面状部１１には、第２の面状部１２の少なくとも一部を引き抜き可能な１つ以上の引き抜き孔１１ａが設けられている。
【００１９】
これにより、第１の面状部１１の引き抜き孔１１ａから第２の面状部１２を引き抜く度合いによって、装飾具１０が様々な形状に変化する。また、装飾具１０が第１の面状部１１及び第２の面状部１２を備えることによって、リング状などの他の部材からなる装飾具と比較して、装飾具１０を、スカーフ止め、ポケットチーフ、コサージュ、ブローチ、ネックレス、チョーカー、カチューシャ、髪飾り、カフス、リングなど、多くの用途に用いることができる。また、ユーザの利便性を向上させることができる。
【００２０】
＜第２実施形態＞
図２は、第２実施形態に係る装飾具２０を示す図であり、（ａ）底面図及び（ｂ）平面図を含む。
【００２１】
本第２実施形態では、装飾具２０の第２の面状部２２が引き抜き孔２２ａを有する点において、上述の第１実施形態と相違し、その他の点については上述の第１実施形態と同様にすることができる。そのため、詳細な説明は省略する。
【００２２】
図２（ａ）及び（ｂ）に示すように、装飾具２０は、縫い合わせ部２３において周縁を互いに縫い合わされた第１の面状部２１と第２の面状部２２とを備える。
第２の面状部２２には、第１の面状部２１の少なくとも一部を引き抜き可能な引き抜き孔２２ａが設けられている。この引き抜き孔２２ａ及び第１の面状部２１の引き抜き孔２１ａは、上述の第１実施形態の第１の面状部１１の引き抜き孔１１ａと同様することができる。
【００２３】
以上説明した第２実施形態では、上述の第１実施形態と同様の事項については、同様の効果、すなわち、様々な形状に変化するとともに、多くの用途に用いることができる装飾具２０を提供することができるなどの効果を得ることができる。
【００２４】
また、本第２実施形態では、第２の面状部２２には、第１の面状部２１の少なくとも一部を引き抜き可能な１つ以上の引き抜き孔２２ａが設けられている。これにより、第１の面状部２１の引き抜き孔２１ａから第２の面状部２２を引き抜くだけでなく、第２の面状部２２の引き抜き孔２２ａから第１の面状部２１を引き抜くこともでき、装飾具２０をより様々な形状に変化させることができる。
【００２５】
＜第３実施形態＞
図３は、第３実施形態に係る装飾具３０を示す図であり、（ａ）平面図、（ｂ）引き抜き状態図その１、（ｃ）引き抜き状態図その２、及び（ｄ）引き抜き状態図その３を含む。
【００２６】
本第３実施形態では、装飾具３０の第１の面状部３１及び第２の面状部３２が四角形状である点、及び、第２の面状部３２が３つの引き抜き孔３２ａ，３２ｂ，３２ｃを有する点において上述の第１実施形態又は第２実施形態と相違し、その他の点については上述の第１実施形態又は第２実施形態と同様にすることができる。そのため、詳細な説明は省略する。
【００２７】
図３（ａ）に示すように、装飾具３０は、縫い合わせ部３３において周縁を互いに縫い合わされた第１の面状部３１と第２の面状部３２とを備える。第１の面状部３１は、図３（ａ）では第２の面状部３２に隠れて表れないため、第１の面状部３１の引き出し線を破線で示す。
【００２８】
第１の面状部３１及び第２の面状部３２の形状は、例えば、四角形状である。第１の面状部３１及び第２の面状部３２の形状は、上述のとおり、特に制限されず、四角形状以外の多角形状や円形状や楕円形状などであってもよい。
【００２９】
第１の面状部３１には、第２の面状部３２の少なくとも一部を引き抜き可能な１つの引き抜き孔３１ａが設けられている。また、第２の面状部３２には、第１の面状部３１の少なくとも一部を引き抜き可能な３つの引き抜き孔３２ａ，３２ｂ，３２ｃが設けられている。これらの引き抜き孔３１ａ，３２ａ，３２ｂ，３２ｃのそれぞれについては、上述の第１実施形態の第１の面状部１１の引き抜き孔１１ａに関して述べたのと同様することができる。
【００３０】
第２の面状部３２の３つの引き抜き孔３２ａ，３２ｂ，３２ｃに関しては、まず、第２の面状部３２の中心において引き抜き孔３２ａが第１の面状部３１の中心に設けられた引き抜き孔３１ａと重なるように設けられている。引き抜き孔３２ｂ，３２ｃは、引き抜き孔３２ａの長手方向（図３（ａ）における第２の面状部３２の左上の角と右下の角とを結ぶ方向）に直交する長手方向（図３（ａ）における第２の面状部３２の右上の角と左下の角とを結ぶ方向）を有し、この長手方向に引き抜き孔３２ａを挟んだ両側に設けられている。
【００３１】
図３（ｂ）に示すように、ユーザが、例えば素手で或いは器具を用いて、第２の面状部３２の少なくとも一部を第１の面状部３１の引き抜き孔３１ａから引き抜くと、装飾具３０が立体的に変化する。また、第２の面状部３２の引き抜き孔３２ｂ，３２ｃが向き合うように引き抜き孔３１ａから引き抜かれるため、ストール１０１などを引き抜き孔３２ｂ，３２ｃの両方に通すことが可能となる。
【００３２】
また、例えば、ストール１０１の一端側を２つの引き抜き孔３２ｂ，３２ｃに通し、ストール１０１の他端側を２つの引き抜き孔３２ａ，３２ｃに通すことで、図３（ｃ）及び（ｄ）に示すように、装飾具３０をスカーフ止めとして用いるとよい。
【００３３】
以上説明した第３実施形態では、上述の第１実施形態及び第２実施形態と同様の事項については、同様の効果、すなわち、様々な形状に変化するとともに、多くの用途に用いることができる装飾具３０を提供することができるなどの効果を得ることができる。
【００３４】
また、本第３実施形態では、第２の面状部３２には、第１の面状部３１の少なくとも一部を引き抜き可能な複数（３つ）の引き抜き孔３２ａ，３２ｂ，３２ｃが設けられている。これにより、第１の面状部３１の引き抜き方やストール１０１の通し方のバリエーションが広がり、装飾具３０を、より様々な形状に変化させることができるとともに、より多くの用途に用いることができる。
【００３５】
＜第４実施形態＞
図４は、第４実施形態に係る装飾具４０を示す底面図である。
【００３６】
本第４実施形態では、第１の面状部４１の引き抜き孔４１ａが、第２の面状部４２の少なくとも一部及び紐状部材４４，４５の少なくとも一部を引き抜き可能に設けられている点、及び第１の面状部４１及び第２の面状部４２が四角形状である点において、上述の第１実施形態と相違し、その他の点については上述の第１実施形態と同様にすることができる。そのため、詳細な説明は省略する。
【００３７】
図４に示すように、装飾具４０は、縫い合わせ部４３において周縁を互いに縫い合わされた第１の面状部４１と第２の面状部４２とを備える。第２の面状部４２の大部分は、図４では第１の面状部４１に隠れて表れないため、第２の面状部４２の引き出し線の一部を破線で示す。
【００３８】
第１の面状部４１及び第２の面状部４２の形状は、例えば、四角形状である。第１の面状部４１及び第２の面状部４２の形状は、上述のとおり、特に制限されず、四角形状以外の多角形状や円形状や楕円形状などであってもよい。
【００３９】
紐状部材４４，４５は、第１の面状部４１と第２の面状部４２との間に収容可能な長尺部材の一例である。紐状部材４４，４５の一端は、例えば第２の面状部４２の内側の面（すなわち第１の面状部４１に対向する面）に固定されている。
【００４０】
ユーザが、例えば素手で或いは器具を用いて、紐状部材４４，４５の少なくとも一部と第２の面状部４２の少なくとも一部とを第１の面状部４１の引き抜き孔４１ａから引き抜くと、装飾具４０が立体的に変化する。また、紐状部材４４，４５を用いてユーザの首などの任意の位置に装飾具４０を装着させることができる。なお、後述する第５〜第８実施形態においても同様であるが、長尺部材（紐状部材４４，４５）が引き抜かれる引き抜き孔４１ａは、周縁が補強されているとよい。
【００４１】
以上説明した第４実施形態では、上述の第１実施形態と同様の事項については、同様の効果、すなわち、様々な形状に変化するとともに、多くの用途に用いることができる装飾具４０を提供することができるなどの効果を得ることができる。
【００４２】
また、本第４実施形態では、装飾具４０は、第１の面状部４１と第２の面状部４２との間に収容可能な長尺部材の一例である紐状部材４４，４５を備える。第１の面状部４１の引き抜き孔４１ａは、紐状部材４４，４５の少なくとも一部を引き抜き可能に設けられている。これにより、引き抜き孔４１ａからの紐状部材４４，４５の引き抜きによって、装飾具４０を、より様々な形状に変化させることができるとともに、より多くの用途に用いることができる。
【００４３】
＜第５実施形態＞
図５は、第５実施形態に係る装飾具５０を示す図であり、（ａ）底面図その１及び（ｂ）底面図その２を含む。
【００４４】
本第５実施形態では、第１の面状部５１の引き抜き孔５１ａが、第２の面状部５２の少なくとも一部及び紐状部材５４，５５を引き抜き可能に設けられている点、及び第１の面状部５１及び第２の面状部５２が楕円形状である点において、上述の第１実施形態と相違し、その他の点については上述の第１実施形態と同様にすることができる。そのため、詳細な説明は省略する。
【００４５】
図５（ａ）に示すように、装飾具５０は、縫い合わせ部５３において周縁を互いに縫い合わされた第１の面状部５１と第２の面状部５２とを備える。第２の面状部５２は、図５（ａ）では第１の面状部５１に隠れて表れないため、第２の面状部５２の引き出し線を破線で示す。
【００４６】
第１の面状部５１及び第２の面状部５２の形状は、例えば、楕円形状である。第１の面状部５１及び第２の面状部５２の形状は、上述のとおり、特に制限されず、多角形状や円形状や円形状などであってもよい。
【００４７】
紐状部材５４，５５は、第１の面状部５１と第２の面状部５２との間に収容可能な長尺部材の一例である。紐状部材５４，５５の両端には、膨出部５４ａ，５４ｂ，５５ａ，５５ｂが設けられている。紐状部材５４，５５は、例えば、第２の面状部５２の内側の面（すなわち第１の面状部５１に対向する面）に固定されたストッパ５２ａ，５２ｂによって支持された状態でスライド可能である。但し、膨出部５４ａ，５４ｂ，５５ａ，５５ｂは、ストッパ５２ａ，５２ｂを通過不能である。
【００４８】
第１の面状部５１には、例えば中心に設けられた引き抜き孔５１ａに加えて、両端に設けられた引き抜き孔５１ｂ，５１ｃを有する。なお、この引き抜き孔５１ｂ，５１ｃは、第１の面状部５１及び第２の面状部５２の両方に亘って設けられていてもよい。引き抜き孔５１ａは、膨出部５４ａ，５５ａを通すことが可能な大きさに形成され、引き抜き孔５１ｂは、膨出部５４ｂを通すことが可能な大きさに形成され、引き抜き孔５１ｃは、膨出部５５ｂを通すことが可能な大きさに形成されている。
【００４９】
ユーザが、例えば素手で或いは器具を用いて、紐状部材５４，５５の少なくとも一部と第２の面状部５２の少なくとも一部とを、第１の面状部５１の引き抜き孔５１ａから引き抜いたり或いは引き抜き孔５１ｂ，５１ｃから引き抜いたりすると、装飾具５０が立体的に変化する。また、紐状部材５４，５５を用いてユーザの首などの任意の位置に装飾具５０を装着させることができる。
【００５０】
以上説明した第５実施形態では、上述の第１実施形態と同様の事項については、同様の効果、すなわち、様々な形状に変化するとともに、多くの用途に用いることができる装飾具５０を提供することができるなどの効果を得ることができる。
【００５１】
また、本第５実施形態では、装飾具５０は、第１の面状部５１と第２の面状部５２との間に収容可能な長尺部材の一例である紐状部材５４，５５を備える。第１の面状部５１の引き抜き孔５１ａ，５１ｂ，５１ｃは、紐状部材５４，５５を引き抜き可能に設けられている。これにより、引き抜き孔５１ａ，５１ｂ，５１ｃからの紐状部材５４，５５の引き抜きによって、装飾具５０を、より様々な形状に変化させることができるとともに、より多くの用途に用いることができる。
【００５２】
＜第６実施形態＞
図６は、第６実施形態に係る装飾具６０を示す引き抜き状態図である。
【００５３】
本第６実施形態の装飾具６０は、上述の第４実施形態の装飾具４０又は第５実施形態の装飾具５０と、上述の第２実施形態の装飾具２０とを備える。そして、装飾具４０の紐状部材４４，４５又は装飾具５０の紐状部材５４，５５を装飾具２０の図２（ａ）及び（ｂ）に示す引き抜き孔２１ａ，２２ａに通すことによって、装飾具４０，５０のみならず、装飾具２０も変形させることができる。
【００５４】
＜第７実施形態＞
図７は、第７実施形態に係る装飾具７０を示す図であり、（ａ）底面図及び（ｂ）引き抜き状態図を含む。
【００５５】
本第７実施形態では、第１の面状部７１の引き抜き孔７１ａが、第２の面状部７２の少なくとも一部及びストール７４の少なくとも一部を引き抜き可能に設けられている点、及び第２の面状部７２が引き抜き孔７２ａを有する点において、上述の第１実施形態と相違し、その他の点については上述の第１実施形態と同様にすることができる。そのため、詳細な説明は省略する。
【００５６】
図７（ａ）に示すように、装飾具７０は、縫い合わせ部７３において周縁を互いに縫い合わされた第１の面状部７１と第２の面状部７２とを備える。第２の面状部７２は、図７（ａ）では第１の面状部７１に隠れて表れないため、第２の面状部７２の引き出し線を破線で示す。
【００５７】
ストール７４は、第１の面状部７１と第２の面状部７２との間に収容可能な長尺部材の一例である。ストール７４の一端は、例えば第２の面状部７２の内側の面（すなわち第１の面状部７１に対向する面）に固定されている。
【００５８】
第１の面状部７１には、第２の面状部７２の少なくとも一部とストール７４の少なくとも一部とを引き抜き可能な引き抜き孔７１ａが設けられている。この引き抜き孔７１ａは、上述の第１実施形態の第１の面状部１１の引き抜き孔１１ａと同様することができる。また、第２の面状部７２には、引き抜き孔７１ａと重なるように、第１の面状部７１の少なくとも一部を引き抜き可能な引き抜き孔７２ａが設けられている。
【００５９】
図７（ｂ）に示すように、ユーザが、例えば素手で或いは器具を用いて、ストール７４の少なくとも一部を第１の面状部７１の引き抜き孔７１ａから引き抜いた後、引き抜き孔７２ａ及び引き抜き孔７１ａを通すことで、装飾具７０を例えばスカーフ止め付きのスカーフとして用いるとよい。
【００６０】
以上説明した第７実施形態では、上述の第１実施形態と同様の事項については、同様の効果、すなわち、様々な形状に変化するとともに、多くの用途に用いることができる装飾具７０を提供することができるなどの効果を得ることができる。
【００６１】
また、本第７実施形態では、装飾具７０は、第１の面状部７１と第２の面状部７２との間に収容可能な長尺部材の一例であるストール７４を備える。第１の面状部７１の引き抜き孔７１ａは、ストール７４の少なくとも一部を引き抜き可能に設けられている。これにより、引き抜き孔７１ａからのストール７４の引き抜きによって、装飾具７０を、より様々な形状に変化させることができるとともに、より多くの用途に用いることができる。
【００６２】
＜第８実施形態＞
図８は、第８実施形態に係る装飾具８０を示す図であり、（ａ）平面図、（ｂ）引き抜き状態図その１、及び（ｃ）引き抜き状態図その２を含む。
【００６３】
本第８実施形態では、装飾具８０の第１の面状部８１及び第２の面状部８２が互いに縫い合わされておらず一体である点、第１の面状部８１の引き抜き孔８１ａが、第２の面状部８２の少なくとも一部及びストール８４を引き抜き可能に設けられている点、及び第１の面状部８１、第２の面状部８２、及びストール８４が毛皮である点において、上述の第１実施形態と相違し、その他の点については上述の第１実施形態と同様にすることができる。そのため、詳細な説明は省略する。
【００６４】
図８（ａ）に示すように、第１の面状部８１及び引き抜き孔８１ａは、図８（ａ）では第２の面状部８２に隠れて表れないため、第１の面状部８１の引き出し線及び引き抜き孔８１ａを破線で示す。
【００６５】
ストール８４は、第１の面状部８１と第２の面状部８２との間に収容可能な長尺部材の一例である。ストール８４の一端は、例えば第２の面状部８２の内側の面（すなわち第１の面状部８１に対向する面）に固定されている。ストール８４の他端である先端には、フック８４ａが設けられている。このフック８４ａは、例えば第２の面状部８２の内側の面に固定された図示しない引っ掛け部に引っ掛けられる。
【００６６】
第１の面状部８１には、第２の面状部８２の少なくとも一部とストール８４の少なくとも一部とを引き抜き可能な引き抜き孔８１ａが設けられている。この引き抜き孔８１ａは、上述の第１実施形態の第１の面状部１１の引き抜き孔１１ａと同様することができる。
【００６７】
図８（ｂ）に示すように、ユーザが、例えば素手で或いは器具を用いて、ストール８４の少なくとも一部と第２の面状部８２の少なくとも一部とを第１の面状部８１の引き抜き孔８１ａから引き抜き、フック８４ａを上記の引っ掛け部に引っ掛けることで、図８（ｃ）に示すように、装飾具８０を例えばスカーフ止め付きのスカーフとして用いるとよい。
【００６８】
以上説明した第８実施形態では、上述の第１実施形態と同様の事項については、同様の効果、すなわち、様々な形状に変化するとともに、多くの用途に用いることができる装飾具８０を提供することができるなどの効果を得ることができる。
【００６９】
また、本第８実施形態では、装飾具８０は、第１の面状部８１と第２の面状部８２との間に収容可能な長尺部材の一例であるストール８４を備える。第１の面状部８１の引き抜き孔８１ａは、ストール８４の少なくとも一部を引き抜き可能に設けられている。これにより、引き抜き孔８１ａからのストール８４の引き抜きによって、装飾具８０を、より様々な形状に変化させることができるとともに、より多くの用途に用いることができる。
【符号の説明】
【００７０】
１０，２０，３０，４０，５０，６０，７０，８０  装飾具
１１，２１，３１，４１，５１，７１，８１  第１の面状部
１１ａ，２１ａ，３１ａ，４１ａ，５１ａ，５１ｂ，５１ｃ，７１ａ，８１ａ  引き抜き孔
１２，２２，３２，４２，５２，７２，８２  第２の面状部
２２ａ，３２ａ，３２ｂ，３２ｃ，７２ａ  引き抜き孔
５２ａ，５２ｂ  ストッパ
１３，２３，３３，４３，５３，７３  縫い合わせ部
４４，４５，５４，５５  紐状部材
５４ａ，５４ｂ，５５ａ，５５ｂ  膨出部
７４，８４  ストール
８４ａ  フック
１０１  ストール
【図１】
0003221582.tif 000003
【図２】
0003221582.tif 000004
【図３】
0003221582.tif 000005
【図４】
0003221582.tif 000006
【図５】
0003221582.tif 000007
【図６】
0003221582.tif 000008
【図７】
0003221582.tif 000009
【図８】
0003221582.tif 000010